(57)【要約】【課題】メンテナンス時に施工者の作業時間を短縮することのできる自動風呂装置を提供すること。【解決手段】給湯経路に設けられ浴槽９内の水位を検出する水位検出部２により検出される現在水位から、運転の選択及び所望の湯張り水位を設定する操作部３で設定される設定水位まで湯張りするのに必要な給湯量を演算する制御部５と、前記制御部５の制御に必要なデータを記憶する第１の記憶部６、第２の記憶部７と、前記制御部５と前記第１の記憶部６とから構成される制御装置１０とを備え、前記制御装置１０の交換の際には、前記第２の記憶部７が保有するデータを交換後の第１の記憶部６に転送するとともに、前記水位検出部２により検出される水位から算出される値の誤差が、前記制御装置１０の交換前と交換後とにおいて所定値外であった場合には、前記誤差を補正することを特徴とする自動風呂装置。【選択図】図１
2012078068.tif 000002
【特許請求の範囲】
【請求項１】
給湯経路に設けられ浴槽内の水位を検出する水位検出部と、運転の選択及び所望の湯張り水位を設定する操作部と、前記水位検出部により検出される現在水位から前記操作部で設定される設定水位まで湯張りするのに必要な給湯量を演算する制御部と、前記制御部の制御に必要なデータを記憶する第１の記憶部、第２の記憶部と、前記制御部と前記第１の記憶部とから構成される制御装置とを備え、前記制御装置の交換の際には、前記第２の記憶部が保有するデータを交換後の第１の記憶部に転送するとともに、前記水位検出部により検出される水位から算出される値の誤差が、前記制御装置の交換前と交換後とにおいて所定値外であった場合には、前記誤差を補正することを特徴とする自動風呂装置。
【請求項２】
前記誤差の補正は、前記制御装置の交換後に自動で行なうことを特徴とする請求項１に記載の自動風呂装置。
【発明の詳細な説明】
【技術分野】
【０００１】
本発明は、自動風呂装置に関するものである。
【背景技術】
【０００２】
従来、この種の自動風呂装置は、給湯機に接続されている浴槽の形状が様々であり、浴槽の形状を把握する必要があるため、自動風呂装置の第一回目の運転時には、水位検出部により検出される給湯口の水没する水位を第一の水位とし、前記第一の水位より所定の給湯量だけ給湯した後の水位を第二の水位とし、第一の水位と第二の水位との差を所定の給湯量で除算した値を浴槽断面積係数として記憶部に記憶し、以後の運転においては記憶部で記憶された浴槽断面積係数に基づき制御部にて設定水位までの必要給湯量を演算し、その演算結果に基づいた給湯量を浴槽へ供給する制御を行なっている（例えば、特許文献１参照）。
【０００３】
図２は、特許文献１に記載された従来の自動風呂装置を示すものである。図２に示すように、制御部１０５と、給湯口１０８と、記憶部１０６と、給湯部１０１と、水位検出部１０２とから構成されている。
【先行技術文献】
【特許文献】
【０００４】
【特許文献１】特開２００２−４８３９５号公報
【発明の概要】
【発明が解決しようとする課題】
【０００５】
しかしながら、前記従来の構成では、自動風呂装置に不具合が生じて制御装置のような記憶部を有する部品の交換が必要となった際、交換後の記憶部には浴槽断面係数の値が記憶されておらず、交換後は浴槽断面係数を決定するための運転を行なう必要があった。
【０００６】
また、交換前の記憶部に記憶された浴槽断面係数の値を交換後の記憶部へ移植を行なったとしても、交換前と交換後の制御装置には特性の誤差があるため、浴槽断面積係数を取得するための運転が必要であり、結果、施工者は制御装置の交換であっても浴槽断面係数を取得するための運転が終了するまで作業を完了できないという課題を有していた。
【０００７】
本発明は、前記従来の課題を解決するもので、制御装置の交換時に、浴槽断面係数を取得するための自動風呂装置の運転が不要となり、メンテナンス時に施工者の作業時間を短縮できる自動風呂装置を提供することを目的とする。
【課題を解決するための手段】
【０００８】
前記従来の課題を解決するために、本発明の自動風呂装置は、給湯経路に設けられ浴槽内の水位を検出する水位検出部と、運転の選択及び所望の湯張り水位を設定する操作部と、前記水位検出部により検出される現在水位から前記操作部で設定される設定水位まで湯張りするのに必要な給湯量を演算する制御部と、前記制御部の制御に必要なデータを記憶する第１の記憶部、第２の記憶部と、前記制御部と前記第１の記憶部とから構成される制御装置とを備え、前記制御装置の交換の際には、前記第２の記憶部が保有するデータを交換後の第１の記憶部に転送するとともに、前記水位検出部により検出される水位から算出される値の誤差が、前記制御装置の交換前と交換後とにおいて所定値外であった場合には、前記誤差を補正することを特徴とするものである。
【０００９】
これによって、制御装置の交換時に、浴槽断面係数を取得するための自動風呂装置の運転が不要となるため、メンテナンス時に施工者の作業時間を短縮できる自動風呂装置を提供できる。
【発明の効果】
【００１０】
本発明によれば、メンテナンス時に施工者の作業時間を短縮することのできる自動風呂装置を提供できる。
【図面の簡単な説明】
【００１１】
【図１】本発明の実施の形態１における自動風呂装置の構成図
【図２】従来の自動風呂装置の構成図
【発明を実施するための形態】
【００１２】
第１の発明は、給湯経路に設けられ浴槽内の水位を検出する水位検出部と、運転の選択及び所望の湯張り水位を設定する操作部と、前記水位検出部により検出される現在水位から前記操作部で設定される設定水位まで湯張りするのに必要な給湯量を演算する制御部と、前記制御部の制御に必要なデータを記憶する第１の記憶部、第２の記憶部と、前記制御部と前記第１の記憶部とから構成される制御装置とを備え、前記制御装置の交換の際には、前記第２の記憶部が保有するデータを交換後の第１の記憶部に転送するとともに、前記水位検出部により検出される水位から算出される値の誤差が、前記制御装置の交換前と交換後とにおいて所定値外であった場合には、前記誤差を補正することを特徴とする自動風呂装置で、制御装置の交換時に、浴槽断面係数を取得するための自動風呂装置の運転が不要となり、メンテナンス時に施工者の作業時間を短縮することができる。
【００１３】
第２の発明は、特に、第１の発明の自動風呂装置において、前記誤差の補正は、前記制御装置の交換後に自動で行なうことを特徴とするもので、メンテナンス時に施工者は特別な作業をする必要がなくなり、更に作業時間を短縮することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における自動風呂装置の制御ブロック図である。
【００１６】
図１において、給湯経路に設けられ浴槽９内の水位を検出する水位検出部２と、運運転の選択及び所望の湯張り水位を設定する操作部３と、水位検出部２により検出される現在水位から操作部３で設定される設定水位まで湯張りするのに必要な給湯量を演算する制御部５と、前記水位検出部により検出される現在水位から前記操作部で設定される設定水位まで湯張りするのに必要な給湯量を演算する制御部と、前記制御部の制御に必要なデータを記憶する第１の記憶部６、第２の記憶部７と、前記制御部５と前記第１の記憶部６から構成される制御装置１０から自動風呂装置を構成している。
【００１７】
以上のように構成された自動風呂装置について、以下その動作、作用を説明する。
【００１８】
まず、自動風呂装置の設置後、風呂湯張り運転を起動し試運転を実行する。使用者は操作部３にて所望の水位を設定して使用する。設定水位は給湯口からの高さで表されるので、同じ設定水位であっても浴槽９の容量、形状により設定水位までの必要給湯量は異なる。
【００１９】
そのため、機器が設置された第一回目の運転時に浴槽９の断面積あたりの給湯量すなわ
ち、浴槽断面積係数を決定する。この浴槽断面積係数を決定するための動作は、給湯を中断しながら水位検出部により水位を比較しながら行ない、湯張り完了するまでには時間を必要とするため、上記の浴槽断面積係数を決定するのは設置後第一回目の運転時のみ行い、決定された浴槽断面係数は第１の記憶部６と第２の記憶部７に記憶し、以降の運転時は第１の記憶部６に記憶した浴槽断面係数より必要湯量を計算して給湯する。
【００２０】
設置後第一回目以降の運転時に自動風呂装置に不具合が生じ制御装置１０が交換される場合、交換後の制御装置１０内の第１の記憶部６には浴槽断面係数が存在しないため、再び設置後第一回目の運転時と同様に浴槽断面係数を決定するための運転が必要となるが、第２の記憶部７が保有する浴槽断面係数を交換後の第１の記憶部６に転送することで、浴槽断面係数を決定するための運転が不要となる。
【００２１】
また、制御装置１０内の制御部５において水位検出部２により検出される水位から算出される値は交換前と交換後との間で誤差が生じる場合がある。交換前と交換後で算出される値に誤差が生じた場合、必要湯量の計算結果に誤差が生じ、最悪の場合は浴槽９から水が溢れてしまう。
【００２２】
そのため、制御部５において水位検出部２により検出される水位から算出される値の誤差が交換前と交換後で浴槽断面係数により必要湯量を計算した場合、前記制御装置１０の交換前と交換後において誤差が所定値内であるかどうかを判定する。
【００２３】
制御部５は誤差を判定するための基準値を内部で持ち、検出される水位から算出される値がその基準値内であるかを判定し、誤差が所定値外であった場合には、基準値に対する誤差分を補正する。
【００２４】
以上のように、本実施の形態においては本発明の自動風呂装置は、給湯経路に設けられ浴槽内の水位を検出する水位検出部と、運転の選択及び所望の湯張り水位を設定する操作部と、前記水位検出部により検出される現在水位から前記操作部で設定される設定水位まで湯張りするのに必要な給湯量を演算する制御部と、前記制御部の制御に必要なデータを記憶する第１の記憶部、第２の記憶部と、前記制御部と前記第１の記憶部から構成される制御装置とを備え、前記制御装置の交換の際には、前記第２の記憶部が保有するデータを交換後の第１の記憶部に転送するとともに、前記制御部において、前記水位検出部により検出される水位から算出される値の誤差が、前記制御装置の交換前と交換後において、所定値内であるかどうかを判定し、誤差が所定値外であった場合には、誤差を補正することにより、制御装置の交換時に、浴槽断面係数を取得するための自動風呂装置の運転が不要となるため、メンテナンス時に施工者の作業時間を短縮することのできる自動風呂装置を提供することができる。
【００２５】
また、本実施の形態において、誤差の補正を制御装置の交換後に制御装置の運転と同時に行なうことにより、メンテナンス時に施工者は特別な作業をする必要がなくなり、更に作業時間を短縮することができる。
【産業上の利用可能性】
【００２６】
以上のように、本発明にかかる自動風呂装置は、制御部と記憶部を有する制御装置の交換時に、自動風呂装置の運転が不要となるので、ガス給湯機、石油給湯機、燃料電池など様々な給湯方式の用途にも適用できる。
【符号の説明】
【００２７】
２  水位検出部
３  操作部
５  制御部
６  第１の記憶部
７  第２の記憶部
９  浴槽
１０  制御装置
【図１】
2012078068.tif 000003
【図２】
2012078068.tif 000004